(57)【要約】【課題】  ゴルフ用ボールマーカー保持具に用いられるクリップであって、挟み込む被服などを傷めることなく、安定した保持力をもって着脱可能とする。【解決手段】  クリップ１は、本体片２と対向片３とが、それぞれの一端２ａ，３ａにおいて略Ｕ字形状の連接部４によって連接されている。対向片３の先端３ｂには、固定部材５が取り付けられており、この固定部材５に挟持片６が固定されている。固定部材５は、対向片３を抱え込むように取り付けられ、挟持片６は、本体片２と対向片３との間に配置される。そして、挟持片６と本体片２との間に挟持空間１６が形成される。さらに、本体片２には、ゴルフ用ボールマーカー１８を磁石２１で保持するマーカー保持片１７を備える。【選択図】      図６
0003130179.tif 000002
【実用新案登録請求の範囲】
【請求項１】
社章やゴルフ用ボールマーカーなどの装着物が設けられる本体片と、該本体片と面方向に離隔して対向する対向片とが、それぞれの一端を互いに連設すると共に、それぞれの他端を自由端として設けられ、
前記本体片と前記対向片との間に板バネからなる挟持片が配置され、該挟持片の基端が前記対向片の他端に固定されると共に、前記挟持片の先端側が、前記本体片の一端寄りに位置するように傾斜して取り付けられ、
前記挟持片と前記本体片との間に被挟持物を挟む挟持空間が形成されてなる
ことを特徴とするクリップ。
【請求項２】
前記対向片には、前記挟持片を固定するための固定部材を備え、
該固定部材は、前記対向片の他端部を前記本体片と反対側の外側から包むように固定する包持固定部と、前記本体片の側である内面側に前記挟持片を掴み固定する掴持固定部とを備える
ことを特徴とする請求項１に記載のクリップ。
【請求項３】
前記対向片に貫通穴が形成されると共に、前記包持固定部に変形可能な装着部が形成され、前記装着部が前記貫通穴内にかしめられることにより、前記固定部材が前記対向片に固定される
ことを特徴とする請求項２に記載のクリップ。
【考案の詳細な説明】
【技術分野】
【０００１】
本考案は、帽子や被服などに着脱可能に保持されるクリップに関するものである。たとえば、社章が取り付けられたり、ゴルフ用ボールマーカー保持具として使用されたりするクリップに関するものである。
【背景技術】
【０００２】
被服に社章などを取り付ける場合、従来は、被服のポケットなどに直接縫い付けたり、ピンで取り付けたりしていた。特に、背広に取り付けられる社章は、着脱する必要があるので、ピンが用いられていた。
【０００３】
一方、ゴルフにおいては、グリーン上でボールの位置を一時的に示しておくために、ボールマーカーが使用されるが、プレーに伴い、このボールマーカーを持ち運ぶ必要が生じる。そのとき、ボールマーカーを保持するボールマーカー保持具が使用されるが、従来のボールマーカー保持具のクリップは、付勢力に対抗するように指で力を加えて開口させ、その開口に被服のポケットなどの一部を差し込み、指を離して前記付勢力により被服のポケットなどに保持される構成であった。
【考案の開示】
【考案が解決しようとする課題】
【０００４】
しかしながら、社章などを被服のポケットなどに直接縫い付ける場合、被服に穴をあけてしまうことになった。また、ピンで取り付ける場合は、着脱するたびに、ピンの一端側から延出したピンを被服から抜き差しし、そのピンの先端をピンの他端側に収容しなければならず、着脱を片手で行うのは困難であった。さらに、ピンを被服から抜き差しすることにより、被服を傷めてしまうだけでなく、危険であった。
【０００５】
また、従来のボールマーカー保持具のクリップでは、着脱するたびに付勢力に対抗するように指で力を加えて開口させなければならず、着脱操作が面倒であった。さらに、従来のボールマーカー保持具のクリップは、指で付勢力に対抗する力を加える部分が必要であり、コンパクト化に限界があった。
【０００６】
本考案が解決しようとする課題は、挟み込む被服などを傷めることがなく、安定した保持力を有し、しかも製作容易なクリップを提供することにある。
【課題を解決するための手段】
【０００７】
前記課題を解決するために、本考案のクリップは、社章やゴルフ用ボールマーカーなどの装着物が設けられる本体片と、該本体片と面方向に離隔して対向する対向片とが、それぞれの一端を互いに連設すると共に、それぞれの他端を自由端として設けられ、前記本体片と前記対向片との間に板バネからなる挟持片が配置され、該挟持片の基端が前記対向片の他端に固定されると共に、前記挟持片の先端側が、前記本体片の一端寄りに位置するように傾斜して取り付けられ、前記挟持片と前記本体片との間に被挟持物を挟む挟持空間が形成されてなることを特徴とする。
【０００８】
また、本考案は、好ましくは上記構成に加えて、前記対向片には、前記挟持片を固定するための固定部材を備え、該固定部材は、前記対向片の他端部を前記本体片と反対側の外側から包むように固定する包持固定部と、前記本体片の側である内面側に前記挟持片を掴み固定する掴持固定部とを備えることを特徴とするクリップである。
【０００９】
さらに、本考案は、好ましくは上記構成に加えて、前記対向片に貫通穴が形成されると共に、前記包持固定部に変形可能な装着部が形成され、前記装着部が前記貫通穴内にかしめられることにより、前記固定部材が前記対向片に固定されることを特徴とするクリップである。
【考案の効果】
【００１０】
本考案によれば、挟み込む被服などを傷めることがなく、安定した保持力をもって着脱可能なクリップを提供することができる。
【考案を実施するための最良の形態】
【００１１】
以下、本考案のクリップの具体的実施例について、図面に基づき詳細に説明する。
【実施例１】
【００１２】
実施例１は、社章などを取り付けて使用するのに好適に用いられるクリップである。
【００１３】
図１から図４は、本考案のクリップの実施例１を示す図であり、図１は一部を断面にした側面図、図２はその分解斜視図、図３は組立て状態の斜視図、図４は図１のIV−IV線に沿う断面図である。
【００１４】
クリップ１は、金属製の板材からなる本体片２と対向片３とが、それぞれの一端２ａ，３ａにおいて略Ｕ字形状の連接部４によって連接されている。対向片３の先端３ｂには、金属製板材が屈曲形成された固定部材５が取り付けられており、この固定部材５に、板バネからなる挟持片６が固定されている。本体片２と対向片３とは、略Ｕ字形状の連接部４を介して、互いに面方向に対向するように配置されており、対向片３は、上方へ行くに従って本体片２側にゆるやかに傾斜している。この実施例１では、本体片２と対向片３とは、略Ｕ字形状の連接部４と一枚の金属板から一体形成されている。さらに、対向片３の中央部には、略矩形状の貫通穴７が左右二箇所に形成されており、この貫通穴７，７は、形状および大きさが同一である。
【００１５】
この実施例１では、本体片２、対向片３および略Ｕ字形状の連接部４は、本体片２から略矩形が下方へ延出した形状に一枚の板材から打ち抜かれ、この板材が折り曲げられて略Ｕ字形状の連接部４と対向片３とが形成されている。本体片２、連接部４および対向片３をそれぞれ別の部材として、溶接などで連接してもよいが、一枚の板から打ち抜き成形する方が仕上げ性、加工性において好ましい。また、本体片２、対向片３、連接部４は、金属製としたが、これに限定されるものではなく、合成樹脂などで製造してもよい。
【００１６】
本体片２は、左右に切欠き部８が一つずつ形成された板状とされる。ここで、本体片２は、必ずしも切欠き部８が形成される必要はなく、形状はこれに限定されない。すなわち、本体片２は、社章などを設ける箇所であり、その社章に合わせて適宜変更可能である。また、切欠き部８の形成箇所や個数もこれに限定されるわけではなく、デザインに応じて変更可能である。
【００１７】
固定部材５は、対向片３を本体片２の反対側から包むように保持する包持固定部５ａと、挟持片６を掴み保持する掴持固定部５ｂとを備えている。包持固定部５ａは、固定部材本体９と、固定部材５の下部両側に形成され、固定部材本体９から内側に延出する装着部１０とによって構成されており、掴持固定部５ｂは、固定部材５の上部に形成され、固定部材本体９と、固定部材本体９から下方に延出するバネ取付部１１とから構成される。
【００１８】
固定部材本体９は、下端縁を残して周縁部が、本体片２側（図２において手前側）に屈曲形成されている。これにより、固定部材本体９には、連続した側壁１２が形成されている。そして、対向する左右の側壁１２，１２には、固定部材本体９の下部にそれぞれ装着部１０が一つずつ一体形成されている。この装着部１０，１０は、側壁１２の対応する位置から互いに近接するよう内側に向けて延出されている。さらに、装着部１０，１０は、固定部材本体９と離間して対向する板状であり、形状および大きさが同一である。さらに、固定部材本体９の上端部の側壁１２には、バネ取付部１１が一つ形成されている。このバネ取付部１１は、固定部材本体９と平行で下向きへ延出された板状である。また、固定部材５の上端部は、本体片２と反対側にゆるやかに傾斜している。
【００１９】
挟持片６は板バネからなる略矩形の板状であり、その板面を本体片２、対向片３と対向させて配置される。この挟持片６は、上部に形成された固定部１３と、この固定部１３の下端から手前側へわずかに湾曲する湾曲部１４と、この湾曲部１４の下端から後方へ傾斜する傾斜部１５とが形成される。固定部１３は、上下幅が小さく形成されている。湾曲部１４は、固定部１３の下端から下方へ行くに従って手前側に円弧状に膨出している。傾斜部１５は、湾曲部１４の下端から下方へ行くに従って後方へゆるやかに傾斜している。
【００２０】
クリップ１は、挟持片６が固定部材５に固定された後、その固定部材５が、対向片３に固定されることにより組立てられる。
【００２１】
まず最初に、板バネからなる挟持片６が、固定部材５のバネ取付部１１と固定部材本体９との間に取り付けられることにより、固定部材５に固定される。すなわち、挟持片６は、固定部材本体９とバネ取付部１１との間に固定部１３が差し込まれ、バネ取付部１１を挟持方向にかしめることにより、固定部材５に固定される。このとき、湾曲部１４は、下方へ行くに従って対向片３から離隔する方向に、固定部１３の下端部から延出している。さらに、傾斜部１５は、下方へ行くに従って対向片３側に傾斜するように、湾曲部１４の下端部から延出している。
【００２２】
次に、挟持片６が固定された固定部材５の包持固定部５ａが、対向片３を抱え込むように取り付けられる。このとき、挟持片６は、本体片２と対向片３との間に配置される。すなわち、固定部材５は、固定部材本体９と装着部１０，１０とで構成される包持固定部５ａに対向片３が差し込まれ、貫通穴７，７に装着部１０，１０がかしめられることにより、対向片３に固定部材５が固定される。このとき、湾曲部１４は、固定部１３の下端から下方へ行くに従って本体片２に湾曲しつつ近接される。そして、傾斜部１５は、湾曲部１４の下端から本体片２と離隔する方向に延出される。ここで、挟持片６と本体片２との間に挟持空間１６が形成される。
【００２３】
一方、固定部材５は、対向片３から上方へ延出するに従って本体片２側へ傾斜した後、上端部、つまり、バネ取付部１１側の端部は、本体片２と離隔する方向へゆるやかに傾斜している。ここで、対向片３が、上方へ行くに従って本体片２側へ傾斜しているので、対向片３に取り付けられる固定部材５も、上方へ行くに従って本体片２側へ傾斜している。そして、固定部材５の上端部、つまり、挟持片６の固定部１３が固定される掴持固定部５ｂは、上方へ行くに従って本体片２から離隔する方向へ延出している。したがって、クリップ１を被挟持物（不図示）に差し込む際に、被挟持物が固定部材５に引っ掛かることなく差し込むことができる。つまり、掴持固定部５ｂは、被挟持物が挟持空間１６に滑らかに差し込まれるように案内する。
【実施例２】
【００２４】
次に、ゴルフ用ボールマーカー保持具に好適に用いられるクリップについて説明する。実施例２は、基本的構成において実施例１の構成と同様であるので、以下では両者の異なる点を中心に説明する。また、両実施例の対応部分には、同一の符号を付して説明する。
【００２５】
図５は、本考案のクリップの実施例２を示す側面図であり、マーカー保持片が取り付けられる状態を、一部を断面にして示している。図６は、図５のクリップにゴルフ用ボールマーカーが保持される状態を示す側面図であり、一部を断面にして示している。図７は、図１のクリップにゴルフ用ボールマーカーが保持される状態を示す斜視図である。
【００２６】
実施例２のクリップ１は、実施例１の構成要件に加えて、金属製の板状の本体片２に、金属製の板状のマーカー保持片１７が設けられる。そして、そのマーカー保持片１７に円板状のゴルフ用ボールマーカー１８が保持される。ここで、本体片２は、真鍮製とし、マーカー保持片１７は、鉄製とするのが好ましい。なお、本体片２は、合成樹脂製でもよい。
【００２７】
実施例２の本体片２は、実施例１の本体片２と同様に、左右に切欠き部８が一つずつ形成された板状とされるが、さらに、外縁部１９が連続して突出形成されている。すなわち、実施例２の本体片２は、断面が略コ字形状とされ、凹部２０が形成される。
【００２８】
マーカー保持片１７は、実施例２の本体片２よりも若干小さく形成されており、実施例２の本体片２に形成された凹部２０にはめ込まれる。このとき、マーカー保持片１７は、凹部２０から一部が突出した状態である。そして、実施例２の本体片２とマーカー保持片１７とは、接着剤などで固定される。ここで、マーカー保持片１７は、板状であるが、これに限定されるものではない。すなわち、マーカー保持片１７の形状は、実施例２の本体片２に固定できる形状であれば、適宜変更可能であり、その実施例２の本体片２の形状の変更に伴い、マーカー保持片１７の形状も変更される。
【００２９】
ゴルフ用ボールマーカー１８は、一面側に磁石２１が設けられる。具体的には、ゴルフ用ボールマーカー１８の一面側、つまり、マーカー保持片１７と対向する側の面には、取付穴２２が形成されている。そして、この取付穴２２に磁石２１がはめ込まれて固定される。このとき、磁石２１は、ゴルフ用ボールマーカー１８から若干突出される。
【００３０】
したがって、実施例２のクリップ１は、実施例２の本体片２に設けられたマーカー保持片１７に、ゴルフ用ボールマーカー１８に設けられた磁石２１が、磁力により保持されることにより、ゴルフ用ボールマーカー１８を着脱可能に保持できる。ここで、マーカー保持片１７は鉄製としたが、これに限定されるものではなく、ゴルフ用ボールマーカー１８を磁石２１の磁力により吸着させることができる材質であればよい。
【００３１】
一方、実施例２の本体片２は、切欠き部８が形成されているので、マーカー保持片１７からゴルフ用ボールマーカー１８を指で厚さ方向に挟んで取り外すことができる。また、切欠き部８の形成箇所や個数は、これに限定されるわけではなく、一箇所に形成されていればよい。
【００３２】
また、ゴルフ用ボールマーカー１８が、実施例１の本体片２に保持されるように構成してもよい。すなわち、実施例１の本体片２を鉄製とし、ゴルフ用ボールマーカー１８に設けられた磁石２１が、実施例１の本体片２に磁力により保持されることにより、実施例１の本体片２にゴルフ用ボールマーカー１８を着脱可能に保持できる。ここで、本体片２は鉄製としたが、これに限定されるものではなく、ゴルフ用ボールマーカー１８を磁石２１の磁力により吸着させることができる材質であればよい。
【００３３】
このような構成であるので、被服などが、本体片２の上端部側から本体片２と対向片３との間に形成された挟持空間１６に差し込まれることにより、本考案のクリップ１は、被服などに保持される。さらに、挟持片６の傾斜部１５により、クリップ１を抜き取る際に、挟持片６が被服などに引っ掛かることがない。
【００３４】
そして、実施例１のクリップ１は、特に社章などに用いることができ、被服のポケットなどに片手で着脱可能である。また、実施例２のクリップ１は、ゴルフ用ボールマーカー保持具として利用することができる。
【００３５】
なお、本考案のクリップ１は、上記各実施例の構成に限らず、適宜変更可能である。上記各実施例では、貫通穴７は、略矩形状で、対向片３の左右二箇所に形成されているが、これに限定されるものではない。すなわち、貫通穴７は、装着部１０がかしめ付けられれば、形状や位置、個数は適宜変更可能であり、その貫通穴７の形状や位置、個数の変更に伴い、装着部１０の形状や位置、個数も変更される。また、挟持片６の傾斜部１５は、湾曲部１４の下端部から対向片３側に折り返されてもよい。
【００３６】
さらに、上記各実施例では、固定部材本体９の下端部には側壁１２が形成されていないが、対向片３が固定部材本体９と装着部１０，１０との間に差し込めれば多少の側壁１２を形成することは可能である。また、対向片３が、固定部材本体９と装着部１０，１０との間に差し込めるように、固定部材本体９の下端部の左右に側壁１２を形成してもよい。
【００３７】
一方、実施例２のクリップ１では、ゴルフ用ボールマーカー１８の一面側に磁石２１が設けられるが、これに限定されるものではない。すなわち、マーカー保持片１７に磁石２１を設け、ゴルフ用ボールマーカー１８を保持する構成としてもよい。また、本体片２にゴルフ用ボールマーカー１８を保持する場合においても、本体片２に磁石２１を設ける構成としてもよい。
【図面の簡単な説明】
【００３８】
【図１】本考案のクリップの実施例１を示す側面図であり、一部を断面にして示している。
【図２】図１のクリップの分解斜視図である。
【図３】図１のクリップの斜視図である。
【図４】図１のIV−IV線に沿う断面図である。
【図５】本考案のクリップの実施例２を示す側面図であり、マーカー保持片が取り付けられる状態を、一部を断面にして示している。
【図６】図５のクリップにゴルフ用ボールマーカーが保持される状態を示す側面図であり、一部を断面にして示している。
【図７】図１のクリップにゴルフ用ボールマーカーが保持される状態を示す斜視図である。
【符号の説明】
【００３９】
１  クリップ
２  本体片
３  対向片
５  固定部材
５ａ  包持固定部
５ｂ  掴持固定部
６  挟持部
７  貫通穴
１０  装着部
１６  挟持空間
１８  ゴルフ用ボールマーカー
【図１】
0003130179.tif 000003
【図２】
0003130179.tif 000004
【図３】
0003130179.tif 000005
【図４】
0003130179.tif 000006
【図５】
0003130179.tif 000007
【図６】
0003130179.tif 000008
【図７】
0003130179.tif 000009